(57)【要約】モジュール構造を実現するために取り付けられる管状エレメント（１）の接続デバイスであって、拡張可能部分（２）およびヘッド（３）を有する挿入手段（２２）と、ヘッドとほぼ補完的な形状を有する複数の筐体（１０）を備えたシェル（９）と、ヘッド（３）を関連する筐体（１０）に固定する手段とを含み、挿入手段（22）の管状エレメント（１）が終端へロッキングされたときには、拡張可能部分（２）が前記終端に挿入されて拡張され、管状エレメント（１）がシェルへ接続されたときには管状エレメント（１）のロッキング状態のヘッド（３）がシェル（９）の関連する筐体（１０）に組み合わされて、固定手段でシェル（９）に固定されることを特徴とする管状エレメント（１）の接続デバイスで、管状エレメント（１）に予め横孔を開けておく必要がない接続デバイスを提供する。
2005516163.tif 000002
【特許請求の範囲】
【請求項１】
モジュール構造を実現するために取り付けられる管状エレメント（１）の接続デバイスであって、
各々が拡張可能部分（２）およびヘッド（３）を有する挿入手段（２２）と、
各々がヘッド（３）とほぼ補完的な形状を有する複数の筐体（１０）を備えたシェル（９）と、
ヘッド（３）を関連する筐体（１０）に固定する手段と
を含み、挿入手段（２２）の管状エレメント（１）の終端へのロッキング状態では、拡張可能部分（２）が前記終端に挿入されて拡張され、管状エレメント（１）のシェル（９）への接続状態では管状エレメント（１）とのロッキング状態のヘッド（３）がシェル（９）の関連する筐体（１０）に組み合わされて、固定手段でシェル（９）に固定されることを特徴とする管状エレメントの接続デバイス。
【請求項２】
ヘッド（３）および筐体（１０）がほぼピラミッド切断形状をしていることを特徴とする請求項１に記載の接続デバイス。 
【請求項３】
ヘッド（３）が傾斜した表面を有し、内部で拡張可能部分（２）のフィンにスライドするキャップ（７）のネジが切られた孔（６）にかみ合うネジ（５）のための軸孔（４）を有し、拡張可能部分（２）を拡張し、ロッキング状態で管状エレメント（１）の内部で挿入手段（２２）をロッキングすることを特徴とする請求項１に記載の接続デバイス。 
【請求項４】
固定手段が、各々がシェル（９）に設けられた、関連するネジを切られた孔（１１）にねじ込まれたドエル（１２）であって、管状エレメントがシェル（９）に接続された状態では管状エレメント（１）にロックされたヘッド（３）の関連するサイドシート（１３）にかみ合っているドエル（１２）を含んでいることを特徴とする請求項１に記載の接続デバイス。
【請求項５】
シェル（９）の各筐体（１０）がシェル（９）から突き出している関連するアームの中に設けられていることを特徴とする請求項１に記載の接続デバイス。
【請求項６】
拡張可能部分（２）と管状エレメントの内部空洞が補完的で、ほぼ多角形、円形、または楕円形状をしていることを特徴とする請求項１に記載の接続デバイス。
【請求項７】
挿入手段（２２）が拡張可能部分（２）とピラミッド切断ヘッド（３）とを分離し、挿入手段（２２）が管状エレメント（１）の終端へ挿入されたロッキング状態では管状エレメントの先端の終端に合わされているストップ リム（８）を含んでことを特徴とする請求項１に記載の接続デバイス。
【請求項８】
ネジを切られた孔（１１）が関連する筐体（１０）の縦軸方向に対して垂直または傾斜していることを特徴とする請求項４に記載の接続デバイス。
【発明の詳細な説明】
【技術分野】
【０００１】
この発明はモジュール構造の接続デバイスに関連し、特にエレメントに組立孔を必要とせず、エレメントを迅速に接続することを可能にする管状エレメントのための接続デバイスに関する。
【背景技術】
【０００２】
前もって管状エレメントの終端に横孔をあけておくことが必要な接続デバイスで、管状デバイスを接続して棚、テーブル、展示台などを支える接続デバイスが知られている。結果としてエレメントの長さは、容易に変更できないので、製造段階であらかじめ定義しておく必要がある。
【０００３】
固定孔なしで管状エレメントを接続することが可能な接続デバイスが知られているが、その接続デバイスは前記管状エレメントの外側にある。
【０００４】
前記デバイスの主な欠点はそれらが大きくて、よく目につき、全体の構造の美的感覚を制約することである。前記デバイスのもう1つの欠点はエレメントの位置を変更するためにいくつかの接続デバイスを緩める必要があることである。
【発明の説明】
【０００５】
本発明の主な目的は前記エレメントの先端に孔をあける必要がなく、小さなサイズで管状エレメントの迅速な接続を提供する、管状エレメントの接続デバイスを提案することである。管状エレメントの長さはカスタマの要求に容易に、かつ組立の最中に適合できる。 
【０００６】
以下に説明する接続デバイスは接続される管状エレメントの中へ挿入される拡張可能部分と、そこから突き出して、対応する適切な複数のアーム シェルの筐体に挿入されるピラミッド切断形状ヘッドを有している。ピラミッド切断形状ヘッドは拡張ネジのための軸孔とドエルの先端が挿入されるサイドシートを有している。
【０００７】
前記ドエルは、シェルのアームの中に設けられた孔にねじ込まれて、接続されるエレメントを停止させる。
【０００８】
上記の目的は請求項の内容によって実現される。 
【発明を実施する最良の形態】
【０００９】
図１から９を参照して、記号１は接続デバイスに接続されて図１４から１６に例示されているモジュール構造を実現するための管状エレメントを示している。
【００１０】
接続デバイスは複数の挿入手段２２を含み、各々は拡張可能部分２およびほぼピラミッド切断形状のヘッド３を有している。
【００１１】
接続デバイスは複数のシェル９を有し、各々が複数の突起したアームを備え、各々がヘッド３とほぼ補完的な形状の筐体１０を有している。
【００１２】
ヘッド３は傾斜した表面を有し、内部で拡張可能部分２の弾性体フィンにスライドするキャップ７のネジが切られた孔６にかみ合うネジ５のための軸孔４を有している。
【００１３】
シェルの各アームは各々が、シェル９に設けられた、関連するネジを切られた孔１１にねじ込まれ、ヘッド３の関連するサイドシート１３とかみ合うドエル１２を含んだ固定手段を備えている。
【００１４】
ネジを切られた孔１１は関連する筐体の縦軸とは直角方向である。
【００１５】
代わりに、本発明はネジを切られた孔１１が傾斜していても良い。
【００１６】
拡張可能部分２と管状エレメントの内部空洞は補完的であり、多角形の形状をしているがそれらはまた円形または楕円形状でも良い。
【００１７】
挿入手段２２は拡張可能部分２とピラミッド切断形状ヘッド３を分離するストップリム８を有し、管状エレメントの先端の終端とマッチングするために寸法が合わせられている。
【００１８】
シェル９は１つの平面上に配置された３つの直角方向のアームおよび関連する筐体１０を有している。図１０から１３のシェル９の変形は３つの直角な軸を定義する３つの直角なアームである。
【００１９】
本発明はまたアームの数として２から最高６より多いアームを有し、角度も１８０°、９０°、６０°、４５°など、またこれらの角度以外にも複数の角度を有するアームを提供する。
【００２０】
デバイスの動作は管状エレメントの先端の終端がストップリム８に接触するまで、拡張可能部分２が管状エレメント１の空洞内に挿入される。ネジ５を回転するとキャップ７が移動し、拡張可能部分２のフィンが管状エレメント１の内部壁に対して拡張し、挿入手段２２と管状エレメント１の間のロッキング状態に到達する。
【００２１】
挿入手段２２のヘッド３は管状エレメント１とのロッキング状態で、シェルの関連する筐体１０にかみ合わされ、固定手段によって筐体に固定されて、管状エレメント１とシェル９の接続状態に到達する。
【図面の簡単な説明】
【００２２】
発明の特徴が次に添付の図面を用いて説明される。
【図１】本発明の管状エレメントに関する接続デバイスの不等角投影展開図である。
【図２】図１の接続デバイスの挿入手段の正面図である。
【図３】図２の挿入手段の側面図である。
【図４】図２の接続デバイスのキャップの正面図である。
【図５】図２の接続デバイスのキャップの側面図である。
【図６】３つのアームが１つの平面に沿って配置されている図１のデバイスのシェルの不等角投影図である。
【図７】図６のシェルの側面図である。
【図８】図６のシェルの正面図である。
【図９】図６のシェルの平面断面図である。
【図１０】３つのアームが異なった平面に配置されているシェルの不等角投影図を示している。
【図１１】図１０のシェルの平面図である。
【図１２】図６のシェルの側面図である。
【図１３】図１０のシェルの正面断面図である。
【図１４】本発明の目的の接続デバイス手段を使用して接続された管状エレメントで構成された可能な構造の不等角投影図を示している。
【図１５】図１４構造の正面図である。
【図１６】図１４構造の側面図である。
【図１】
2005516163.tif 000003
【図２】
2005516163.tif 000004
【図３】
2005516163.tif 000005
【図４】
2005516163.tif 000006
【図５】
2005516163.tif 000007
【図６】
2005516163.tif 000008
【図７】
2005516163.tif 000009
【図８】
2005516163.tif 000010
【図９】
2005516163.tif 000011
【図１０】
2005516163.tif 000012
【図１１】
2005516163.tif 000013
【図１２】
2005516163.tif 000014
【図１３】
2005516163.tif 000015
【図１４】
2005516163.tif 000016
【図１５】
2005516163.tif 000017
【図１６】
2005516163.tif 000018
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
モジュール構造を実現するために取り付けられる管状エレメント（１）の接続デバイスであって、
各々が拡張可能部分（２）およびヘッド（３）を有する挿入手段（２２）と、
各々がヘッド（３）とほぼ補完的な形状を有する複数の筐体（１０）を備えたシェル（９）と、
ヘッド（３）を関連する筐体（１０）に固定する手段とを含み、
拡張可能部分（２）が管状エレメント（１）の１つの一端に挿入可能で、その中でロックされるように拡張可能であり、
ヘッド（３）がシェルの関連する筐体（１０）に係合可能である
接続デバイスにおいて、
ヘッド（３）および筐体（１０）がほぼ角錐台の形状をしている
ことを特徴とする管状エレメントの接続デバイス。
【請求項２】
ヘッド（３）が傾斜した表面を有し、内部で拡張可能部分（２）のフィンにスライドするキャップ（７）のネジが切られた孔（６）にかみ合うネジ（５）のための軸孔（４）を有し、拡張可能部分（２）を拡張し、ロッキング状態で管状エレメント（１）の内部で挿入手段（２２）をロッキングすることを特徴とする請求項１に記載の接続デバイス。 
【請求項３】
固定手段が、各々がシェル（９）に設けられた、関連するネジを切られた孔（１１）にねじ込まれたドエル（１２）であって、管状エレメントがシェル（９）に接続された状態では管状エレメント（１）にロックされたヘッド（３）の関連するサイドシート（１３）にかみ合っているドエル（１２）を含んでいることを特徴とする請求項１に記載の接続デバイス。
【請求項４】
シェル（９）の各筐体（１０）がシェル（９）から突き出している関連するアームの中に設けられていることを特徴とする請求項１に記載の接続デバイス。
【請求項５】
拡張可能部分（２）と管状エレメントの内部空洞が補完的で、ほぼ多角形、円形、または楕円形状をしていることを特徴とする請求項１に記載の接続デバイス。
【請求項６】
挿入手段（２２）が拡張可能部分（２）とピラミッド切断ヘッド（３）とを分離し、挿入手段（２２）が管状エレメント（１）の終端へ挿入されたロッキング状態では管状エレメントの先端の終端に合わされているストップ リム（８）を含んでことを特徴とする請求項１に記載の接続デバイス。
【請求項７】
ネジを切られた孔（１１）が関連する筐体（１０）の縦軸方向に対して垂直または傾斜していることを特徴とする請求項３に記載の接続デバイス。
【手続補正２】
【補正対象書類名】明細書
【補正対象項目名】０００４
【補正方法】変更
【補正の内容】
【０００４】
前記デバイスの主な欠点はそれらが大きくて、よく目につき、全体の構造の美的感覚を制約することである。前記デバイスのもう1つの欠点はエレメントの位置を変更するためにいくつかの接続デバイスを緩める必要があることである。
ドイツ特許番号９４１３８４０Ｕはモジュール構造の建設に適合する管状エレメントに適した接続デバイスを開示しており、前記接続デバイスは拡張可能部分およびヘッドを有する挿入手段、各々がほぼヘッドと補完的な形状をした複数の筐体を備えたシェルおよびヘッドを関連する筐体に固定する固定手段を含んでいる。
【国際調査報告】
2005516163.tif 000019
2005516163.tif 000020
2005516163.tif 000021